(57)【要約】      （修正有）【課題】育苗ポットに植えられた一株毎の植物を、育苗ポットを再利用し簡易に２次元的或いは３次元的な配置にアレンジして、様々な形状、配置を楽しめるツールを提供する。【解決手段】１つの育苗ポットのみを収容可能な内部空間を有する鑑賞用ポットの下側でこれを支持する連結ベース１０であって、互いに嵌合する形状である凸部１６或いは凹部１７が、鑑賞用ポットの下側に一周に渡って離散的に設けられ、他の連結ベース１０に設けられた凹部１７或いは凸部１６に嵌合することにより連結ベース同士が連結可能である。連結ベース１０を組み上げてゆくことにより、２次元的、３次元的に育苗ポットをディスプレイする鉢を作る。【選択図】図１
0003172204.tif 000002
【実用新案登録請求の範囲】
【請求項１】
1つの育苗ポットのみを収容可能な内部空間を有する鑑賞用ポットの下側でこれを支持する連結ベースであって、互いに嵌合する形状である凸部或いは凹部が、当該鑑賞用ポットの下側に一周に渡って離散的に設けられ、他の連結ベースに設けられた凹部或いは凸部に嵌合することにより連結ベース同士が連結可能な連結ベースを有する鑑賞器具。
【請求項２】
請求項１において、前記連結ベースは前記鑑賞ポットと一体的に固定されていることを特徴とする鑑賞器具。
【請求項３】
請求項１において、前記該鑑賞用ポットの上縁部には、前記連結ベースに設けられた凹部或いは凸部に嵌合可能な凸部或いは凹部が設けられていることを特徴とする鑑賞器具。
【請求項４】
請求項３において、前記連結ベース及び鑑賞用ポットは、平面視において円形であることを特徴とする鑑賞器具。
【請求項５】
請求項１において、前記連結ベースは前記鑑賞ポットから着脱可能であることを特徴とする鑑賞器具。
【考案の詳細な説明】
【技術分野】
【０００１】
本考案は、植物鑑賞器具に係り、特に育苗ポットに植物をいれたまま、全体の形・大きさを自由にアレンジできる鉢として用いる鑑賞器具に関するものである。
【背景技術】
【０００２】
薄肉の軟質樹脂で形成された育苗ポットと呼ばれる円形あるいは４角形コップ状の樹脂成体を利用して商品である花などの観賞用植物の栽培や流通が行われている。栽培の際には取り扱いの作業を容易にするため、多数個の育苗ポットが連結された連結体の状態で作業が行われる（例えば、特許文献1参照）。また、始めから連結していない個々ばらばらな状態の育苗ポットも存在する。連結体の状態のポットはばらばらにされ、育苗ポットは個々分離された状態で流通する。そして、園芸店等において販売された後は、観賞用植物は育苗ポットから別途用意された鉢や、花壇等に植え替えられ、育苗ポットはその役目を終える。
【０００３】
育苗ポットに観賞用植物を植えたまま利用するトレイの提案が、特許文献２や３に開示されている。これらは、複数個の育苗ポットを嵌挿するトレイであり、このトレイから育苗ポットを自由に出し入れ可能とした状態で鑑賞位置に設置できるようにしている。このような提案によれば、育苗ポットから鑑賞用植物を移植する際の煩わしさ、例えば手が土壌にふれて汚れることはない。
【先行技術文献】
【特許文献】
【０００４】
【特許文献１】特開２００５−１７６６５０号公報
【特許文献２】実開平６−８７２６４号公報
【特許文献３】特開２００２−２８４２２８号公報
【考案の概要】
【考案が解決しようとする課題】
【０００５】
特許文献２及び３の発明によれば、育苗ポットを嵌挿するトレイは、枠の位置は予め決められたものであり、例えば２行３列で６個の育苗ポットを搭載できるものであれば、その枠が育苗ポットで埋まってないと一部が脱落しているように見えてしまう。よって、観賞用として用いる場合には、６個の全ての枠に育苗ポットが嵌挿された状態で、アレンジをしなければならず、自由度が低下する。
【０００６】
本考案は、育苗ポットを購入した消費者が、育苗ポットに植えられた一株毎の植物を２次元的な配置をアレンジして、様々な形状、配置を楽しめるツールとして利用可能な鑑賞器具を提供することを目的とする。
【課題を解決するための手段】
【０００７】
上記の課題を解決するために、本考案の鑑賞器具は、1つの育苗ポットのみを収容可能な内部空間を有する鑑賞用ポットの下側でこれを支持する連結ベースであって、互いに嵌合する形状である凸部或いは凹部が、当該鑑賞用ポットの下側に一周に渡って離散的に設けられ、他の連結ベースに設けられた凹部或いは凸部に嵌合することにより連結ベース同士が連結可能な連結ベースを有する。
【考案の効果】
【０００８】
本考案によれば、複数の連結容器を自在に２次元的或いは３次元的に配置して組立て、夫々の中に育苗ポットをそのままの状態で投入することにより、消費者は様々な形状にアレンジをして楽しむことができるという効果がある。また、育苗ポットに鑑賞用植物を載せたままの状態で、観賞用ポット単位で取り外しが可能なため、生け花を楽しむように、かつ土壌に触れることなく観賞植物の配置をすることができる。
【図面の簡単な説明】
【０００９】
【図１】本考案に係る観賞器具の連結ベースを示す図である。
【図２】育苗ポット、観賞用ポット、連結ベースの関係を示す図である。
【図３】連結ベース同士を結合した状態を示す図である。
【図４】他の鑑賞用ポットを示す図である。
【図５】連結ベース及び他の鑑賞用ポット同士を立体的に結合した状態を示す図である。
【図６】他の観賞器具の例を示す図である。
【図７】他の観賞器具の例を示す図である。
【図８】育苗ポットの使用状態を示す図である。
【考案を実施するための形態】
【００１０】
まず、育苗ポットについて説明する。育苗ポットは、一般的には、底面部から開口に向かって、横断面積が拡大するコップ形状をしている。
図８において、一般的な育苗ポット１が示されている。育苗ポット1は通常、植物を一株毎に植え付けられており、その大きさは、小さなものでは縦６ｃｍ、横６ｃｍ、高さ６ｃｍ、大きなものでは縦１８ｃｍ、横１８ｃｍ、高さ１５ｃｍ程度であり、一般的には縦７．５ｃｍ、横７．５ｃｍ、高さ６.５ｃｍの柔軟な樹脂でできたものが園芸店、ホームセンター等でよく見られる。
育苗ポット１の側面２は傾斜角度をもつ斜面であり、その底面３には、排水穴４を有する物もある。
【００１１】
このような育苗ポット1は、花卉栽培農家においては作業の容易性から複数の育苗ポット１を収容可能なトレイ５を用い、トレイ５に育苗ポット１を載せた状態で、土壌が入れられ、苗が植えられる（或いは種の直播き）。
出荷できる程度に生育した観賞用植物は、育苗ポット１のまま園芸店やホームセンターにトレイ５に入れられた状態で出荷される。この際、連結した育苗ポット（特許文献１参照）においては、育苗ポットが切り離された状態となっている。
【００１２】
以下、本考案の実施の形態を図面に基づいて説明する。
図１は、実施例の鑑賞器具である連結ベース１０を示している。図１Ａは斜視図であり、図１Ｂは断面図である。連結ベース１０は、ポリプロピレン等の樹脂で一体成形された枠壁１１を主構成としている。枠壁１１には、底１２が有る場合と無い場合があり、図１Ｂの断面図では底１２が無く、図１Ｃでは底１２がある場合を示している。また、底１２がある場合でも適宜孔が貫通して開けられていることもある。底１２の無いもの、孔が開けられたものは、専ら排水のために屋外で使用できるものである。一方、底１２に孔の無いものは、屋内での使用を想定している。
連結ベース１０は、平面視において一周する正方形状の枠壁１１を有しており、４つの直線的な辺イ〜ニを有している。枠壁部１１の外周は垂直な面１１ａであり、かつ、面１１ａには、辺イの一端から距離ｄ０、ｄ１の位置に凸部１６、凹部１７が、他端からも同様距離ｄ０、ｄ１の位置に凹部１７、凸部１６がこの順に設けられている。他の辺ロ〜ニも同様に同一の順番で凸部１６と凹部１７が配置され、枠壁１１を一周するように離散的に配置されている。凸部１６と凹部１７は正対して互いを押し付けたとき、互いに接触して嵌め合いが起こる関係にある。
【００１３】
枠壁１１は、さらに後述する鑑賞用ポット（図２、図４参照）を固定する受け部１２を有している。受け部１３は、鑑賞用ポットの下側を固定するものであり、本実施例では、鑑賞用ポットの底面を支えるステップ１４と、鑑賞用ポットの底面周りを一周する側壁を囲む堤１５とを有している。連結ベース１０の底面１２は、屋外に設置され排水のために孔を開けられたものや、底面１３自体が無い場合もある。底面１３の孔の無いものは、受け皿としても使用できる。
【００１４】
図２は、鑑賞用ポット３０に育苗ポット１を投入し、これにさらに連結ベース１０と接続する関係を示している。観賞用ポット３０は、内部空間に育苗ポットを１つのみ収容可能である。観賞用ポット３０の側面部３１が取り囲む内側の空間は、上に向かって横の断面積が増大する形状を有している。これは、型を使った製造上の考慮、および互いの積み重ねを可能とした運搬上の考慮からであり、垂直であっても構わない。底面部３２は、育苗ポット１や連結ベース１０と同様に底面部３２に排水穴を設けても良い、鑑賞用ポット３０の底面部３２の形状は、連結ベース１０のステップ１４や堤１５に対して、はまり込んで容易には抜け落ちない大きさである。連結ベース１０は、鑑賞用ポット３０の下側で鑑賞用ポット３０を支持し、凸部１６或いは凹部１７が、鑑賞用ポット３０の下側に一周に渡って離散的に設けられた状態になる。ここでは、連結ベース１０と鑑賞用ポット３０とは別体として想定して説明した。
【００１５】
図３は、底面１２がある連結ベース１０を連結して、育苗ポット１を挿入した状態を示している。連結ベース１０を連結してゆくことにより、二次元的な広がりを有する鉢を作成することができる。また、育苗ポット１を鑑賞用ポット３０に入れるだけで、様々な変化を楽しむことが出来る。
【００１６】
図４は、他の形態の観賞用ポット３０’を示しており、上縁部３１の各辺に、連結ベース１０と同様に辺イの一端から距離ｄ０、ｄ１の位置に凸部１６、凹部１７が、他端からも同様距離ｄ０、ｄ１の位置に凹部１７、凸部１６がこの順に設けられている。他の辺ロ〜ニも同様に同一の順番で凸部１６と凹部１７が配置されている。この観賞用ポット３０’としては、例えば、本願出願人による出願（実願２０１１−５１５４号
２０１１年９月２日出願）の観賞用ポットを利用することができる。
【００１７】
図５は、観賞用ポット３０’の上縁部３１と連結ベース１０とを連結して、使用することにより、立体的な鉢としても利用する例を示している。頂上に位置する鑑賞ポットＰの下側の空間Ｑが空いてしまうことに起因して構造的に弱くなる場合には、鑑賞ポット３０’の周りを下側で支える連結ベース１０に対して、鑑賞ポットＰの下に連結ベースＲを加えて安定させても良い。
【００１８】
上記実施例においては、連結ベース１０と観賞用ポット３０或いは観賞用ポット３０’とを別体として組み合わせて使用した。しかしながら、図６に示すように観賞用ポット３０或いは観賞用ポット３０’と連結ベース１０とを予め固定された状態で消費者に提供されても良い。或いは一体成形若しくは接着された状態であってもよい。例えば、図６Ａは、連結ベース１０と観賞用ポット３０を一体的に成形したものである。連結ベース１０の位置は、観賞用ポット３０の底面より上に装備されているが、他の実施例と同様に観賞用ポット３０の底面より下にスカート状に伸びた位置に配置しても良い。図６Ｃは、連結ベース１０と観賞用ポット３０’と一体的に成形したものである。
【００１９】
また、上記実施例においては、平面視において正方形状としていたが、図７に示すように他の形状でも良い。図７Ａは、連結ベース１０と観賞用ポット３０’ともに平面視において円形である。凸部１６、凹部１７は、交互に３つずつ計６個を等角度間隔に設けるのが良い。図７Ｂは、連結ベース１０と観賞用ポット３０’ともに平面視において六角形状である。
【００２０】
本実施例の鑑賞器具によれば、消費者は、２次元的或いは３次元的な配置を想定しながら、生け花を楽しむように観賞用ポットを連結してゆく。そして、育苗ポット１に鑑賞用植物が入ったままの状態で、観賞用ポットに投入する。鑑賞用ポット単位に組み合わせ自由であり、消費者は様々な形状、配置のアレンジのディスプレイを楽しむことができる。その際、土壌には触れることが無いため、作業は極めて手軽である。
また、連結ベースを別体として販売し、花卉栽培農家から出荷する段階から、あるいは園芸店やホームセンターにおいて連結ベースの無い状態の観賞用ポットに育苗ポットを収容した状態で販売すれば、消費者は、園芸店やホームセンターにおいて商品を選択する際に、買い物途中で観賞用ポットを仮に嵌め合わせて、完成した形を想像しながら商品を選択することができる。
【符号の説明】
【００２１】
１  育苗ポット
５  トレイ
１０  連結ベース
１６  凸部
１７  凹部
３０、３０’  観賞用ポット
【図１】
0003172204.tif 000003
【図２】
0003172204.tif 000004
【図３】
0003172204.tif 000005
【図４】
0003172204.tif 000006
【図５】
0003172204.tif 000007
【図６】
0003172204.tif 000008
【図７】
0003172204.tif 000009
【図８】
0003172204.tif 000010